(57)【特許請求の範囲】
【請求項１】
対向配置された、少なくとも一方がスライド移動可能な一対のスクリーン取付枠部に、スクリーンが、両スライドガイド枠部間に収縮および展開自在に取り付けられ、一対のスクリーン取付枠部間に張設された張力部材がスクリーンを貫通し、スクリーン取付枠部への取付側ではないスクリーンの両端部付近にスライドガイド枠部が一対配設され、スライドガイド枠部は、複数のスライドガイド枠部ユニットが連結ユニットを介して連結されて形成され、連結ユニットは、一対のスライドガイド枠部において対向配置され、各スライドガイド枠部ユニットは、対向配置された一対の側壁部と両側壁部を相互に繋ぐ架橋部とを有する剛性ユニットが隣り合う２つにおいて回動自在に連設されて形成され、前記スライドガイド枠部は、屈曲性を有し、少なくとも一端が自由端とされてスクリーン取付枠部内に収納および引き出し可能とされる一方、スクリーン取付枠部のスライド移動にともなってスクリーン取付枠部から引き出されたときにスライドガイド枠部の引き出された部分は直線性を保持するスクリーン装置において、
スクリーンの表裏面のいずれか片側においてスクリーンと張力部材の間に１本の方立てが、一対のスライドガイド枠部に架け渡されて配設され、方立ては、その一端および他端において前記連結ユニットに取り外し自在に固定され、
前記連結ユニットは、対向配置された一対の側壁部と両側壁部を相互に繋ぐ架橋部とを有し、架橋部には、幅の狭い第１孔と、この第１孔に連続する幅の広い第２孔とが形成され、第２孔の内側には、第２孔を開閉自在とした弾性を有する舌片が配設され、
前記方立ての一端および他端に取り付けられる固定部材を第１孔から第２孔にスライドさせ、舌片が押し曲げられることによって、方立ては連結ユニットから固定が解除されることを特徴とするスクリーン装置。
【請求項２】
張力部材を挟んで前記方立てと前記スクリーンの表裏面に関して同じ側に隙間をあけてもう１本の方立てが配設され、もう１本の方立ても、前記方立てと同じように、その一端および他端において前記連結ユニットに取り外し自在に固定され、両方立てが、弾性を有する架橋部材によって連結されていることを特徴とする請求項１に記載のスクリーン装置。
【発明の詳細な説明】
【技術分野】
【０００１】
本発明は、カーテン、ブラインド、網戸、さらに間仕切りなどとして用いることのできる多用途のスクリーン装置に関する。
【背景技術】
【０００２】
カーテン、ブラインドなどの遮光および調光手段や網戸、間仕切りなどとして使用する際の設置の制約を解消し、スムーズで安定した開閉操作を実現する装置として、本出願人は、スクリーン装置を提供している（特許文献１）。
【０００３】
特許文献１に記載したスクリーン装置では、対向配置された、少なくとも一方がスライド移動可能な一対のスクリーン取付枠部に、スクリーンが、両スクリーン取付枠部間に収縮および展開自在に取り付けられている。また、スクリーン取付枠部への取付側ではないスクリーンの両端部付近には、スライドガイド枠部が一対配設されている。このスライドガイド枠部は、対向配置された一対の側壁部とこの側壁部を相互に繋ぐ架橋部とを有する剛性ユニットが、隣り合う２つにおいて回動自在に連設されて形成される。そして、スライドガイド枠部は、屈曲性を有し、少なくとも一端が自由端とされてスクリーン取付枠部内に収納および引き出し可能とされている。スクリーン取付枠部のスライド移動にともなってスクリーン取付枠部から引き出されたスライドガイド枠の部分は直線性を保持する。このようなスライドガイド枠部によって、設置の制約の解消とスムーズで安定した開閉操作を実現している。
【０００４】
上記スクリーン装置は、たとえば窓やドア枠などの開口部の大きさに合わせて所望の大きさのものに作製することができるが、大型のもの、特に開閉方向の幅、すなわち、スクリーン取付枠部のスライド移動方向の幅が大きいものの場合、以下のような問題が指摘される。
【０００５】
スクリーンが展開され、スクリーン装置が閉まっている状態において強い風を受けると、スクリーンが風圧によって大きく撓むことがある。このようにスクリーンが大きく撓むと、スライドガイド枠部との間に大きな隙間が形成され、遮光性、防虫性などのスクリーン装置の機能が損なわれる。
【０００６】
また、スライドガイド枠部がスクリーンの上下両端部付近に配設されたスクリーン装置では、スクリーン取付枠部から引き出された上側のスライドガイド枠部の部分は、スクリーンが有する剛性によって下方から支持されるようにしているが、開閉方向の幅が大きくなるにつれ、スクリーン取付枠部から引き出された上側のスライドガイド枠部の部分が長くなるので、自重により撓むことが予想される。このスライドガイド枠部の撓みは、スクリーン装置の開閉操作に支障をきたすことになる。
【０００７】
そこで、本出願人は、スクリーンの表裏両側に対向配置された一対の方立てが、連結部材によって連結され、スクリーンを挟み込んで一対のスライドガイド枠部間に固定され、連結された方立ては、一体としてスクリーン取付枠部のスライド移動方向と平行な方向にスライド移動可能とされているスクリーン装置を提案している（特許文献２）。
【０００８】
特許文献２に記載したスクリーン装置では、スクリーン取付枠部のスライド移動にともなって連結された方立てがスライド移動し、一対のスクリーン取付枠部間に展開されたスクリーンの面強度を補強する。このため、強い風を受けても風圧によってスクリーンが大きく撓むのが抑制され、スクリーン装置の遮光性、防虫性などの機能が安定して実現される。また、スクリーンの上端部付近に配設された上側のスライドガイド枠部が自重により撓むのも抑制され、スクリーン装置の開閉操作が安定して実現される。
【先行技術文献】
【特許文献】
【０００９】
【特許文献１】特許第３３２３４６１号公報
【特許文献２】特開２００９−２９３３５７号公報
【発明の概要】
【発明が解決しようとする課題】
【００１０】
一方、スクリーンには経時的に汚れなどが生じるため、スクリーンの清掃や新品のスクリーンへの交換が必要であり、スクリーンを容易に取り外せることがスクリーン装置に要求される。この点を考慮すると、特許文献２に記載したスクリーン装置では、スクリーンの表裏両側に対向配置された一対の方立てがスクリーンを挟み込んでおり、しかも、方立ては互いに連結部材によって連結されているので、スクリーンの取り外しの際に方立てを分離する必要があり、スクリーンの取り外しは必ずしも容易ではないことが指摘される。
【００１１】
本発明は、以上のとおりの事情に鑑みてなされたものであり、風圧によるスクリーンの撓みとスライドガイド枠部の自重による撓みを抑制することができ、しかも、スクリーンの取り外しが容易であるスクリーン装置を提供することを課題としている。
【課題を解決するための手段】
【００１２】
上記の課題を解決するために、本発明のスクリーン装置は、対向配置された、少なくとも一方がスライド移動可能な一対のスクリーン取付枠部に、スクリーンが、両スクリーン取付枠部間に収縮および展開自在に取り付けられ、一対のスクリーン取付枠部間に張設された張力部材がスクリーンを貫通し、スクリーン取付枠部への取付側ではないスクリーンの両端部付近にスライドガイド枠部が一対配設され、スライドガイド枠部は、複数のスライドガイド枠部ユニットが連結ユニットを介して連結されて形成され、連結ユニットは、一対のスライドガイド枠部において対向配置され、各スライドガイド枠部ユニットは、対向配置された一対の側壁部と両側壁部を相互に繋ぐ架橋部とを有する剛性ユニットが隣り合う２つにおいて回動自在に連設されて形成され、スライドガイド枠部は、屈曲性を有し、少なくとも一端が自由端とされてスクリーン取付枠部内に収納および引き出し可能とされる一方、スクリーン取付枠部のスライド移動にともなってスクリーン取付枠部から引き出されたときにスライドガイド枠部の引き出された部分は直線性を保持するスクリーン装置において、スクリーンの表裏面のいずれか片側においてスクリーンと張力部材の間に１本の方立てが、一対のスライドガイド枠部に架け渡されて配設され、方立ては、その一端および他端において連結ユニットに取り外し自在に固定され、連結ユニットは、対向配置された一対の側壁部と両側壁部を相互に繋ぐ架橋部とを有し、架橋部には、幅の狭い第１孔と、この第１孔に連続する幅の広い第２孔とが形成され、第２孔の内側には、第２孔を開閉自在とした弾性を有する舌片が配設され、方立ての一端および他端に取り付けられる固定部材を第１孔から第２孔にスライドさせ、舌片が押し曲げられることによって、方立ては連結ユニットから固定が解除されることを特徴とする。
【００１３】
このスクリーン装置においては、張力部材を挟んで前記方立てと前記スクリーンの表裏面に関して同じ側に隙間をあけてもう１本の方立てが配設され、もう１本の方立ても、前記方立てと同じように、その一端および他端において前記連結ユニットに取り外し自在に固定され、両方立てが、弾性を有する架橋部材によって連結されていることが好ましい。
【発明の効果】
【００１４】
本発明のスクリーン装置によれば、風圧によるスクリーンの撓みとスライドガイド枠部の自重による撓みを抑制することができ、しかも、スクリーンの取り外しが容易となる。
【図面の簡単な説明】
【００１５】
【図１】（ａ）（ｂ）は、それぞれ、本発明のスクリーン装置の第１実施形態を示した正面図、上部断面図である。
【図２】図１（ａ）（ｂ）に示したスクリーン装置の方立ての周辺部を示した要部分解斜視図である。
【図３】（ａ）（ｂ）（ｃ）は、それぞれ、図１（ａ）（ｂ）に示したスクリーン装置の連結ユニットを拡大して示した正面図、平面図、側面図である。
【図４】図１（ａ）（ｂ）に示したスクリーン装置における連結ユニットからの方立ての固定解除について示した要部斜視図である。
【図５】（ａ）（ｂ）は、図４に対応する平面図、Ａ−Ａ断面図である。
【図６】（ａ）（ｂ）は、それぞれ、本発明のスクリーン装置の第２実施形態を示した正面図、上部断面図である。
【発明を実施するための形態】
【００１６】
図１（ａ）（ｂ）は、それぞれ、本発明のスクリーン装置の第１実施形態を示した正面図、上部断面図である。図２は、図１（ａ）（ｂ）に示したスクリーン装置の方立ての周辺部を示した要部分解斜視図である。図３（ａ）（ｂ）（ｃ）は、それぞれ、図１（ａ）（ｂ）に示したスクリーン装置の連結ユニットを拡大して示した正面図、平面図、側面図である。
【００１７】
図１（ａ）（ｂ）および図２に示したスクリーン装置１は、一対のスクリーン取付枠部２ａ、２ｂを備えている。スクリーン取付枠部２ａは開口部内縁の右側に固定されている。一方、スクリーン取付枠部２ｂは、開口部内縁の左側に向かって開口部の横方向にスライド移動可能に配設され、両スクリーン取付枠部２ａ、２ｂは対向配置されている。開口部内縁の上側には上レール３が開口部の横方向に沿って配設され、スクリーン取付枠部２ａ、２ｂの上端部は上レール３の内側に収められている。開口部内縁の下側には下レール４が開口部の横方向に沿って配設されている。可動側のスクリーン取付枠部２ｂは、上レール３および下レール４に沿って開口部の横方向にスライド移動自在にされている。
【００１８】
スクリーン取付枠部２ａ、２ｂ間にはネットから形成されたスクリーン５が取り付けられている。スクリーン５は、プリーツ加工によりプリーツが付けられ、スクリーン取付枠部２ａ、２ｂ間に収縮および展開自在とされている。すなわち、スクリーン取付枠部２ｂが開口部内縁の左側にスライド移動する際に、スクリーン５は、開口部に展開し、虫などの侵入を阻止する。また、スクリーン５は、スクリーン取付枠部２ｂが開口部内縁の右側に向かってスライド移動する際に、収縮し、スクリーン取付枠部２ａ、２ｂ間に折り畳まれ、収納される。
【００１９】
なお、スクリーン５は、ネットから形成される他、布、樹脂製のシートなどから形成することもでき、スクリーン装置１の用途に応じて適宜な素材から形成することができる。また、プリーツ加工によるプリーツ以外に、たとえばハニカム構造などによって収縮および展開自在とすることもできる。
【００２０】
スクリーン５には、収縮および展開方向に延びる張力部材６が張設されている。張力部材６には、紐、ワイヤーなどの張力が発生する適宜なものを採用することができ、スクリーン５の高さに対応して複数個所に一定間隔で配設することができる。このような張力部材６は、プリーツ状のスクリーン５を収縮および展開方向に貫通し、スクリーン５を支持している。スクリーン５は、張力部材６によって自立性が確保され、また、面強度が高められている。
【００２１】
また、スクリーン装置１は、スクリーン５のスクリーン取付枠部２ａ、２ｂへの取付側ではない両端部、すなわち、上下両端部付近に、一対のスライドガイド枠部７ａ、７ｂを備えている。スライドガイド枠部７ａ、７ｂはともに、２本のスライドガイド枠部ユニット８が連結されて形成されている。スライドガイド枠部ユニット８は、複数の剛性ユニット９が連設されて形成され、所定の長さを有している。
【００２２】
剛性ユニット９は、対向配置された一対の側壁部１０と、両側壁部１０を相互に繋ぐ架橋部１１とを有している。側壁部１０には、長さ方向の一端部に外側に突出する突起１２が配設され、他端部に突起１２が係合可能な貫通孔１３が形成されている。また、側壁部１０には、突起１２に隣接して貫通孔１３と反対側に位置し、外側に突出する小突起１４が配設されるとともに、貫通孔１３に隣接して突起１２の側に位置する略三日月状の長孔１５が形成されている。このような剛性ユニット９が、隣り合う２つにおいて、突起１４を貫通孔１３に側壁部１０の内側から嵌め込んで係合させ、また、小突起１４を長孔１５に差し込むことにより回動自在に連設され、スライドガイド枠部ユニット８を形成している。スライドガイド枠部ユニット８は、剛性ユニット９が隣り合う２つにおいて回動自在とされているため、屈曲性を有し、また、小突起１４が長孔１５の長さ方向の一端に接触し、剛性ユニット９の回動が規制されることによって直線性を保持することができる。スライドガイド枠部ユニット８の直線性の保持のために、剛性ユニット９には、さらに、架橋部１１の一端縁部の表面および他端縁部の裏面を切り欠き、段差を設けることができ、小突起１４の長孔１５への上記接触に併せて段差を重合させ、剛性ユニット９の回動を規制することもできる。
【００２３】
このようなスライドガイド枠部ユニット８の２本が、一端部において連結ユニット１６によって連結されている。連結ユニット１６は、図３（ａ）（ｂ）（ｃ）に示したように、対向配置された一対の側壁部１７と、両側壁部１７を相互に繋ぐ架橋部１８とを有している。側壁部１７には、長さ方向の両端部に外側に突出する突起１９が配設され、突起１９は、剛性ユニット９の突起１２とほぼ同一の形状および大きさを有し、剛性ユニット９の貫通孔１３に係合可能とされている。また、側壁部１７には、突起１９に隣接して端縁側に位置する小突起２０が配設されている。小突起２０は、剛性ユニット９の長孔１５に係合可能とされている。
【００２４】
２本のスライドガイド枠部ユニット８は、それぞれの一端に位置する剛性ユニット９の貫通孔１３に連結ユニット１６の突起１９を内側から嵌め込んで係合させるとともに、長孔１５に小突起２０を内側から嵌め込んで係合させることにより、連結ユニット１６を介して連結され、スライドガイド枠部７ａ、７ｂを形成している。このため、両スライドガイド枠部７ａ、７ｂは、スライドガイド枠部ユニット８と同様に、屈曲性を有するとともに、直線性の保持が可能になっている。
【００２５】
このようなスライドガイド枠部７ａ、７ｂは、長さ方向の両端、すなわち、スライドガイド枠部ユニット８において連結ユニット１６により連結されていない側の一端が自由端とされ、スクリーン取付枠部２ａ、２ｂ内に収納および引き出し可能とされている。スクリーン取付枠部２ｂを開口部内縁の左側に向けて開口部の横方向にスライド移動させると、スライドガイド枠部７ａ、７ｂはスクリーン取付枠部２ａ、２ｂから引き出され、引き出された部分は直線性を保持する。一方、スクリーン取付枠部２ｂを開口部内縁の右側に向けてスライド移動させると、スライドガイド枠部７ａ、７ｂは、スクリーン取付枠部２ａ、２ｂの上端部、下端部において屈曲し、スクリーン取付枠部２ａ、２ｂの内部に収納される。このようなスライドガイド枠部７ａ、７ｂの収納および引き出しは、また、上レール３および下レール４に沿って行われ、上側のスライドガイド枠部７ａの収納および引き出しは、上レール３の下端部の内側において行われる。
【００２６】
なお、連結ユニット１６は、一対のスライドガイド枠部７ａ、７ｂにおいて上下に対向配置されている。
【００２７】
そして、図１（ａ）（ｂ）および図２に示したスクリーン装置１では、スクリーンの表面側においてスクリーン５と張力部材６の間に１本の方立て２１が、一対のスライドガイド枠部７ａ、７ｂに架け渡されて配設されている。方立て２１は、円形のパイプ状の形状を有し、その一端および他端において、固定部材２２としてのリベット２２ａを用いて連結ユニット１６に固定されている。方立て２１の連結ユニット１６との固定は、後述するように、取り外しが自在とされている。
【００２８】
また、スクリーン装置１では、張力部材６を挟んで方立て２１と隙間２３をあけてもう１本の方立て２４が配設されている。方立て２４は、方立て２１の大きさ、形状および長さと一致している。また、方立て２４も、方立て２１と同様に、その一端および他端において連結ユニット１６にリベット２２ａを用いて取り外し自在に固定されている。両方立て２１、２４は、張力部材６が位置しない長さ方向の３カ所において、弾性を有する架橋部材２５によって連結されている。
【００２９】
架橋部材２５は、図２に示したように、略Ｃ字型の断面を有する筒状の嵌合片部２６を２つと、２つの嵌合片部２６を連結する平板状の連結片部２７とを備えている。架橋部材２５では、２つの嵌合片部２６は、ともに方立て２１、２４の外径に一致する内径を有し、嵌合片部２６には切欠部２８が形成されている。架橋部材２５では、切欠部２８が対向配置されて２つの嵌合片部２６が連結片部２７によって連結されている。また、嵌合片部２６は、切欠部２８を押し広げると、内径が拡大するように弾性変形する。したがって、架橋部材２５では、切欠部２８を通じて嵌合片部２６の内側に方立て２１、２４を挿入すると、嵌合片部２６が、方立て２１、２４の外周に巻き付くように嵌合し、両方立て２１、２４が架橋部材２５によって連結される。このようにして連結される２本の方立て２１、２４は、連結片部２７の幅に等しい大きさの隙間２３があいて配置され、隙間２３には張力部材６を通すことができる。
【００３０】
一対のスライドガイド枠部７ａ、７ｂに架け渡されて配設された両方立て２１、２４は、スクリーン取付枠部１ｂのスライド移動にともなってスライドガイド枠部７ａ、７ｂが収納および引き出されることにより、一体となってスクリーン取付枠部１ｂのスライド移動方向と平行な方向にスライド移動する。両方立て２１、２４は、相互の間に隙間２３があいていても、架橋部材２５による連結によって剛性が高められ、方立て２１、２４のスライド移動は安定して実現される。両方立て２１、２４によって、一対のスクリーン取付枠部２ａ、２ｂ間に展開されたスクリーン５の面強度を補強することができる。このため、開閉方向の幅が大きい大型のスクリーン装置１の場合に、閉めた状態において強い風を受けても、風圧によってスクリーン５が大きく撓むのを抑制することができ、スクリーン装置１の遮光性、防虫性などの機能が安定して実現される。
【００３１】
また、上側のスライドガイド枠部７ａは、大きく撓むことが抑制されたスクリーン５によって十分支持され、しかも、両方立て２１、２４によっても支持される。このため、スライドガイド枠部７ａのスクリーン取付枠部２ａ、２ｂから引き出された部分が自重により撓むのが抑制され、スクリーン装置１の開閉操作が安定して実現される。
【００３２】
また、スクリーン装置１では、図３（ａ）に示したように、連結ユニット１６の架橋部１８には、長さ方向の中央部において、幅方向に間隔をあけて第１孔２９が２つ形成されている。また、第１孔２９に連続して第２孔３０が形成されている。第１孔２９の幅は狭く、第２孔３０の幅は広い。第１孔２９の幅は、図２に示したリベット２２ａの軸部の外径より若干大きく、第２孔３０の幅は、リベット２２ａの頭部の外径より若干大きい。第２孔３０の内側には、第１孔２９と反対側に位置する端縁から延びる舌片３１が配設されている。舌片３１の大きさは、第２孔３０より若干小さく、第１孔２９側の一端は自由端とされている。舌片３１は弾性を有しており、押し曲げが可能とされ、第２孔３０を開閉自在としている。
【００３３】
図４は、図１（ａ）（ｂ）に示したスクリーン装置における連結ユニットからの方立ての固定解除について示した要部斜視図である。図５（ａ）（ｂ）は、図４に対応する平面図、Ａ−Ａ断面図である。
【００３４】
方立て２１、２４は、その一端に取り付けられるリベット２２ａによって上側のスライドガイド枠部７ａの連結ユニット１６に固定され、また、他端に取り付けられるリベット２２ａによって下側のスライドガイド枠部７ｂの連結ユニット１６に固定されている。固定状態では、リベット２２ａの軸部は、連結ユニット１６の架橋部１８に形成された第１孔２９内に位置し、リベット２２ａの頭部と方立て２１、２４の一端および他端との間で架橋部１８を挟持している。
【００３５】
リベット２２ａを第１孔２９から第２孔３０にスライドさせると、リベット２２ａの頭部は舌片３１を押し曲げる。すなわち、上側のスライドガイド枠部７ａの連結ユニット１６では、リベット２２ａを第１孔２９から第２孔３０にスライドさせると、リベット２２ａの頭部が舌片３１の下に潜り込み、舌片３１を下側から押し上げる。この押し上げによって舌片３１は、弾性変形し、上方へと押し曲げられる。また、下側のスライドガイド枠部７ｂの連結ユニット１６では、リベット２２ａを第１孔２９から第２孔３０にスライドさせると、リベット２２ａの頭部が舌片３１の上に乗り上がり、舌片３１を上側から押し下げる。この押し下げによって舌片３１は、弾性変形し、下方へと押し曲げられる。このとき、第２孔３０が開放される。第２孔３０の幅は、上記のとおり、リベット２２ａの頭部の外径より若干大きいため、方立て２１、２４は、連結ユニット３０から固定が解除される。上側のスライドガイド枠部７ａの連結ユニット１６に関しては引き下げることにより、また、下側のスライドガイド枠部７ｂの連結ユニット１６に関しては引き上げることにより、方立て２１、２４を取り外すことができる。
【００３６】
このように、スクリーン装置１では、２本の方立て２１、２４は、スクリーン５を挟み込んではなく、しかも、固定部材２２としてのリベット２２ａを、スライドガイド枠部７ａ、７ｂの連結ユニット１６の架橋部１８に形成された第１孔２９から第２孔３０にスライドさせることによって、方立て２１、２４はスライドガイド枠部７ａ、７ｂから工具を用いることなく取り外すことができるので、スクリーン５を取り外す際にそれに先立って行う方立て２１、２４の取り外しを容易に行うことができる。このため、スクリーン５の取り外しが容易となっている。しかも、両方立て２１、２４は、上記のとおりの架橋部材２５によって連結されているので、架橋部材２５の取り外しも工具を用いることなく行うことができ、両方立て２１、２４の分離も容易である。方立て２１、２４を取り外した後には、連結ユニット１６では、舌片３１はその弾性により初期状態に復帰する。第２孔３０が閉鎖される。
【００３７】
なお、方立て２１、２４のスライドガイド枠部７ａ、７ｂへの取り付けは、取り外しと逆の手順で行うことができる。方立て２１、２４の取付状態では、連結ユニット１６の架橋部１８に形成された第１孔２９は、リベット２２ａの頭部により閉鎖され、また、第２孔３０は舌片３１によって閉鎖される。このため、第１孔２９および第２孔３０を通じて光が漏れたり、虫などが侵入することは抑制され、スクリーン装置１の遮光性、防虫性などの機能は安定して実現される。
【００３８】
図６（ａ）（ｂ）は、それぞれ、本発明のスクリーン装置の第２実施形態を示した正面図、上部断面図である。第２実施形態において第１実施形態と同一の部位については、図６（ａ）（ｂ）に同一の符号を付し、以下において説明を省略する。
【００３９】
スクリーン装置３２では、図１（ａ）（ｂ）に示したスクリーン装置１における方立て２４が省略され、スクリーン５の表面側においてスクリーン５と張力部材６の間に１本の方立て２１が、一対のスライドガイド枠部７ａ、７ｂに架け渡されて配設されている。方立て２１のみであっても、スクリーン装置３２では、スクリーン５の面強度を補強することができ、風圧によるスクリーン５の撓みを抑制することができる。また、スクリーン５に支持される上側のスライドガイド枠部７ａは、方立て２１によって十分に支持可能であり、スライドガイド枠部７ａの自重による撓みも抑制することができる。また、スクリーン装置３２では、方立て２４が省略されているので、スクリーン５の取り外しの際に先立って行う方立て２１の取り外しが容易であり、スクリーン５の取り外しがより容易となっている。
【００４０】
本発明は、以上の実施形態によって限定されることはない。スクリーン取付枠部の構造や方立ての形状、張力部材のスクリーンへの通し方などの細部については様々な態様が可能である。また、図１（ａ）（ｂ）および図６（ａ）（ｂ）に示したスクリーン装置１、３２において、スクリーン取付枠部１ａは開口部内縁の右側に固定せず、スクリーン取付枠部１ｂと同様に、開口部の横方向にスライド移動自在とすることもできる。
【符号の説明】
【００４１】
１、３２  スクリーン装置
２ａ、２ｂ  スクリーン取付枠部
５  スクリーン
６  張力部材
７ａ、７ｂ  スライドガイド枠部
８  スライドガイド枠部ユニット
９  剛性ユニット
１０  側壁部
１１  架橋部
１６  連結ユニット
１７  側壁部
１８  架橋部
２１、２４  方立て
２２  固定部材
２３  隙間
２５  架橋部材
２９  第１孔
３０  第２孔
３１  舌片
【図１】
0005715496.tif 000002
【図２】
0005715496.tif 000003
【図３】
0005715496.tif 000004
【図４】
0005715496.tif 000005
【図５】
0005715496.tif 000006
【図６】
0005715496.tif 000007